(57)【要約】【課題】この発明は、逆さにしたときに封筒内から内容物が落下することを防止する封筒であり、特に銀行の窓口で配布されたり、キャッシュコーナーに備え付けられたりして現金が入れられる内蓋付封筒を提供することを目的としている。【解決手段】この発明は、表紙と裏紙からなる封筒であって、表紙の上縁部に外蓋が連設されると共に、封筒内部に折り込み自在の内蓋が裏紙の上縁部に連設されたことを特徴とする内蓋付封筒であって、内蓋はその上端縁に内容物挿入方向に沿った一本又は複数本の切れ込みを有し、複数のフラップ部が形成されていることを特徴とする内蓋付封筒によって課題を解決した。【選択図】        図１
2004217299.tif 000002
【特許請求の範囲】
【請求項１】
表紙と裏紙からなる封筒であって、表紙の上縁部に外蓋が連設されると共に、封筒内部に折り込み自在の内蓋が裏紙の上縁部に連設されたことを特徴とする内蓋付封筒。
【請求項２】
表紙と裏紙とからなる封筒であって、表紙の上縁側に所定幅の延長部を設けてその上縁と裏紙の上縁とに段差を設け、前記表紙の延長部の上縁部に外蓋を連設して当該連設部を前記外蓋の折り返し部にすると共に、裏紙の上縁部に封筒内部に折り込み自在の内蓋を連設して当該連設部を前記内蓋の折り返し部としたことを特徴とする内蓋付封筒。
【請求項３】
内蓋はその上端縁に内容物挿入方向に沿った一本又は複数本の切れ込みを有し、複数のフラップ部が形成されていることを特徴とする請求項１又は２記載の内蓋付封筒。
【請求項４】
切れ込みは内容物挿入方向の内蓋高さに対して３０％〜５０％の長さであることを特徴とする請求項３記載の内蓋付封筒。
【請求項５】
表紙と裏紙からなる封筒であって、前記表紙の表面及び／又は前記裏紙の表面に、透明フィルムが貼着された窓部と蓋体を有するカード挿入口が形成されたカードホルダーを備えたことを特徴とするカードホルダー付封筒。
【請求項６】
請求項１乃至５記載の封筒であって、前記表紙の表面及び／又は前記裏紙の表面に、透明フィルムが貼着された窓部と蓋体を有するカード挿入口が形成されたカードホルダーを備えたことを特徴とするカードホルダー付封筒。
【請求項７】
カードホルダーは、前記蓋体を有するカード挿入口が封筒の口部側に位置し、前記蓋体が封筒の外蓋と重なって密封するように封筒の表面に取り付けられたことを特徴とする請求項５又は６記載のカードホルダー付封筒。
【請求項８】
表紙及び／又は裏紙に内容物確認孔を設けたことを特徴とする請求項１乃至７のいずれか一項記載の内蓋付封筒。
【発明の詳細な説明】
【０００１】
【発明の属する技術分野】
この発明は、逆さにしたときに封筒内から内容物が落下することを防止する封筒であり、特に銀行の窓口で配布されたり、キャッシュコーナーに備え付けられたりして現金が入れられる内蓋付封筒に関する。
【０００２】
また、封筒の表面に例えば名刺等のカードを挿入でき、そのカードの記載事項を外部から確認できる窓付カードホルダーを装着したカードホルダー付封筒に関する。
【０００３】
【従来の技術】
銀行の窓口やキャッシュコーナーでは、受け取った現金を入れて持ち帰るための封筒を準備、配布しており、従来、この種の封筒としては一枚の外蓋のみを備えた通常の封筒が用いられている。
【０００４】
また、硬貨を入れても確実に保持して紛失を防止すると共に、蓋部分の開閉も容易な集金袋の提案がされている（特開平９−２０２３３４号公報）。
【０００５】
さらに、内容物である手紙等に記載した宛名が封筒外部から確認できる窓を備えた封筒が多数用いられている。
【０００６】
【特許文献１】特開平９−２０２３３４号公報
【０００７】
【特許文献２】特開平１１−７９１９０号公報
【０００８】
【発明により解決しようとする課題】
銀行の窓口で配布されたり、キャッシュコーナーに備え付けられたりする一枚の外蓋のみを備えた通常の封筒は、単に外蓋を折り返しただけで、テープ等で封止していない状態で逆さまにすると、内部の現金や取引明細書等の書類が脱落、落下することがあった。特に、札の枚数が多かったり、硬貨が入っていたりするときは落下しやすく問題であった。
【０００９】
一方、特開平９−２０２３３４号公報において開示された前記集金袋の提案は、内蓋を備えると共に、外蓋の封止に面ファスナーを採用することによって、現金（特に硬貨）の紛失を防止できるものである。
【００１０】
当該集金袋は、１年間等ある程度の期間通じて繰り返し使用することを想定しており、このため、外蓋の封止に面ファスナーを採用してもコスト面にそれほど影響を及ぼすものではない。
【００１１】
しかし、銀行窓口やキャッシュコーナーで配布する封筒は一般的に多数の者に無償で提供するものであるから、それ程コストをかけることができず、できるだけ簡易な構造の封筒を提供する必要がある。
【００１２】
また、企業等で封筒を利用する場合は、自社の社名や住所、電話番号等を印刷して使用しているが、少量だけ必要である場合などは、印刷コストが高くつくことがある。
【００１３】
さらに、企業等によっては、季節毎に行うキャンペーンのキャッチフレーズ等を印刷してそのキャンペーンをアピールしたいと考える場合もある。しかし、キャンペーン毎に封筒を作り直すことも容易ではなく、また、キャンペーンが終了したにも拘わらず使い切ることができなかった封筒は、以後使用することもできず、全くの無駄になってしまうことがあった。
【００１４】
【課題を解決するための手段】
この発明は、封筒を構成する表紙の上縁部、裏紙の上縁部の一方に外蓋を連設し、他方に内蓋を連設して内蓋と外蓋とを互い違いに折り返して封止することができるようにして、さらに、封筒の表面に名刺等を挿入できる透明窓付のカードホルダーを備えた封筒によって前記問題点を解決したのである。
【００１５】
すなわち、この発明は、表紙と裏紙からなる封筒であって、表紙の上縁部に外蓋が連設されると共に、封筒内部に折り込み自在の内蓋が裏紙の上縁部に連設されたことを特徴とする内蓋付封筒であり、特に、内蓋の上端縁に内容物挿入方向に沿った一本又は複数本の切れ込みを有し、複数のフラップ部が形成されているものである。
【００１６】
内蓋と外蓋は、開口部の異なる縁辺に連設されているので、封止する際に異なる方向から互い違いに折り返すことができる。これにより、封筒内部に折り返した内蓋と当該内蓋が連設された裏紙との間に位置した内容物は内蓋の折り返し部で受け止められる。
【００１７】
また、内容物が表紙側に偏っていて内蓋をすり抜けてしまった場合でも、表紙の上縁部には外蓋が連設されており、当該外蓋の折り返し部で受けることになるので、内容物は落下しにくい。
【００１８】
さらに、内容物は内蓋によって表紙側へ押し付けられるので内容物は容易には封筒内から落下しない。
【００１９】
ここで、内蓋は封筒を逆さまにしたときに内容物である札や硬貨が引っかかることによって内容物の落下を防止するものであるので、前記のように内蓋に切れ込みを設けると、内蓋の先端に複数のフラップ部が形成され、内蓋を封筒内部に折り返したときに当該複数のフラップ部を、表紙、裏紙の内面に押し付ける向きに拡開できるので内容物のストッパーとしての役目をより確実に果たすことができる。
【００２０】
切れ込みは、このように札や硬貨が引っかかり、札や硬貨の重量が加わることがあるので、その長さを、内蓋の内容物挿入方向の高さに対して３０％〜５０％とすることによって、切れ込みによって形成される複数のフラップ部（１８ａ、１８ｂ、１８ｃ、１８ｄ）に十分な強度を与えることができる。
【００２１】
なお、封筒には、表紙の下縁付近、中間付近、上縁付近、裏紙の下縁付近、中間付近、上縁付近の少なくとも一カ所に内容物確認孔を設けておくことができる。内容物確認孔を設けておけば、封筒内に紙幣や必要書類を入れたまま廃棄してしまうことを未然に防止することができる。
【００２２】
また、外蓋の表紙への連設部、内蓋の裏紙への連設部はそれぞれ外蓋、内蓋の折り返し部に相当するが、外蓋の表紙への連設、内蓋の裏紙への連設は以下のように行うことができる。
【００２３】
すなわち、表紙の上縁側に所定幅の延長部を設けてその上縁と裏紙の上縁とに段差を設け、前記表紙の延長部の上縁部に外蓋を連設して当該連設部を前記外蓋の折り返し部にすると共に、裏紙の上縁部に封筒内部に折り込み自在の内蓋を連設して当該連設部を前記内蓋の折り返し部とすることができる。
【００２４】
外蓋の表紙への連設、内蓋の裏紙への連設をこのように行うと、内蓋を封筒内部に折り返し、さらに、外蓋を裏紙の表面に架かるように折り返して接着して封をしたときに前記表紙の延長部と外蓋とによって開封のための切離部を形成することができる。
【００２５】
開封時にこの切離部で切り離せば、封筒を開封できるが、未だ内蓋は切り離されることなく存在しているので、開封後の内容物が落下しにくい状態に維持しておくことができる。
【００２６】
さらに、この発明の他の封筒は、表紙と裏紙からなる封筒であって、前記表紙の表面及び／又は前記裏紙の表面に、透明フィルムが貼着された窓部と蓋体を有するカード挿入口が形成されたカードホルダーを備えたことを特徴とするカードホルダー付封筒である。
【００２７】
このカードホルダーには、名刺やメッセージカードを封入することができる。前記カードホルダーを取り付ける封筒は、どのような封筒であってもよいが、勿論、前記内蓋付封筒に取り付けることもできる。
【００２８】
ここで、カードホルダーは、前記蓋体を有するカード挿入口が封筒の口部側に位置し、前記蓋体が封筒の外蓋と重なって密封するように封筒の表面に取り付けるのが望ましい。
【００２９】
【発明の実施の形態】
以下、この発明の実施の形態を図面に基づいて説明する。
【００３０】
［実施の形態１］
図１は、この発明の一実施形態の封筒１の展開図１５である。封筒１は展開図１５において、裏紙予定部２と表紙予定部３とが横方向に連設されており、裏紙予定部２の上縁部２ａに内蓋予定部４が連設され、表紙予定部３の上縁部３ａに外蓋予定部５が連設されている。尚、符号６、７は糊代であり、符号８、９は、内容物確認孔である。
【００３１】
この展開図１５を組み立てると、図２、図３図示のように、表紙１１の上縁部１１ａに外蓋１３が連設されると共に、封筒１内部に折り込み自在の内蓋１２が裏紙１０の上縁部１０ａに連設された封筒１が形成される。
【００３２】
ここで、外蓋予定部５が、外蓋１３に相当し、内蓋予定部４が内蓋１２に相当することとなるが、外蓋予定部５の側縁５ａ、５ｂは、図１図示のように斜めに切り落とされているのに対し、内蓋予定部４の両側４ａ、４ｂはわずかに斜めに切り落とされているが、外蓋予定部５の側縁５ａ、５ｂ程は斜めに成形していない。
【００３３】
これは、図２図示のように内蓋１２を封筒１内へ折り返したときに、内蓋１２の両側１２ｂ、１２ｃを封筒１の両側１ａ、１ｂに接触保持させて、封筒１を逆さまにして内蓋１２に内容物の重量が加わったときでも、内蓋１２が外部に迫り出てきてしまわないようにするためである。
【００３４】
なお、内蓋予定部４の両側４ａ、４ｂをわずかに斜めに切り落とすのは、封筒１内部へ内蓋１２を折り返す際の容易性を考慮したものである。
【００３５】
このように構成された、封筒１は、封筒１内に札等の現金等１６ａ、１６ｂを入れ、図３図示のように内蓋１２を封筒１内部へ折り返し部１２ａで折り返す。
【００３６】
この際、できるだけ現金等は符号１６ａのように裏紙１０と内蓋１２とで挟持するように内蓋１２を折り返す。
【００３７】
内蓋１２を折り返したら、ついで、外蓋１３を折り返し部１３ａで矢示１７のように折り返せば、封筒１を逆さまにしても現金等１６ａ、１６ｂが封筒１内から落下しないように封止することができる。
【００３８】
なお、裏紙１０と内蓋１２とによって挟持されていない現金等１６ｂも、内蓋１２によって表紙１１側に押し付けられ、封筒１を逆さまにしたときも外蓋１３の折り返し部１３ａで受けられるので、封筒１１内から落下することはない。
【００３９】
また、この封筒１は内容物確認孔８、９を設けたので、封筒１を透かしてみたりすることなく、容易に現金等１６ａ、１６ｂが封筒１内に残っていないかを確認することができる。
【００４０】
［実施の形態２］
この発明の他の実施の形態の封筒２０について図面に基づいて説明する。尚、前記実施の形態１における封筒１と共通の構成要素については同一の符号を付してその説明を省略する。
【００４１】
この実施の形態の封筒２０が実施の形態１の封筒１と異なる点は、内蓋１２に代えて、３本の切れ込み１９ａ、１９ｂ、１９ｃを設けてフラップ部１８ａ、１８ｂ、１８ｃ、１８ｄを形成した内蓋１８を採用した点である。
【００４２】
ここで、３本の切れ込み１９ａ、１９ｂ、１９ｃの長さは、内蓋１８の内容物挿入方向の高さｈに対して５０％とし、フラップ部１８ａ、１８ｂ、１８ｃ、１８ｄに十分な強度を付与している。
【００４３】
フラップ部１８ａ、１８ｂ、１８ｃ、１８ｄは、図６図示のように封筒２０の内側で表紙１１、裏紙１０の内面に押し付ける向きに拡開し、内容物のストッパーとして作用する。
【００４４】
尚、フラップ部１８ａ、１８ｂ、１８ｃ、１８ｄは、切れ込み１９ａ、１９ｂ、１９ｃを設けて形成されているので、封筒２０の不使用時に封筒２０を束ねておく場合でも、嵩張らない。
【００４５】
［実施の形態３］
この発明の他の実施の形態の封筒２６について図面（図８、９）に基づいて説明する。尚、前記実施の形態１における封筒１と共通の構成要素については同一の符号を付してその説明を省略する。
【００４６】
図８は、封筒２６（図９）の展開図２４であるが、実施の形態１における封筒１の展開図１５とは、表紙予定部３の上縁側に所定幅の延長部２５を設けてその上縁２５ａと裏紙予定部２の上縁２ａとに段差を設けた点で異なっている。
【００４７】
延長部２５の上縁部２５ａには外蓋１３が連設してあり、その連設部は、外蓋１３の折り返し部に相当する。また、裏紙１０の上縁には封筒２６内部に折り込み自在の内蓋１２が連設してあり、その連設部は内蓋１２の折り返し部１２ａに相当する。
【００４８】
この展開図２４を組み立てた封筒２６は、表紙１１の上縁側に所定幅の延長部２５が連設されたことによって、図９（ａ）図示のように延長部２５の上縁２５ａと裏紙１０の上縁（内蓋１２の折り返し部１２ａ）とに段差を有する。
【００４９】
このように延長部２５の上縁部２５ａと裏紙１２の上縁１２ａとに段差を有する、すなわち、外蓋１３の折り返し部（２５ａ）と内蓋の折り返し部（１２ａ）とに段差を有する封筒２６を、外蓋１３、内蓋１２をそれぞれの折り返し部で折り返し、外蓋１３を裏紙１０に接着して封をすると、図９（ｂ）図示の状態となる。
【００５０】
図９（ｂ）図示の状態に封をされた封筒２６には、折り返した外蓋１３と延長部２５とによって空間２７が形成される。
【００５１】
この空間２７は、開封時にペーパーナイフや鋏を差し入れて外蓋１３を切り離すことができるので、封筒２６の開封を容易に行うことができる。また、外蓋１３のみを切り離し、内蓋１２は切り離さないので、開封後でも内蓋１２の存在によって内容物を落下させないように保持することができる。
【００５２】
なお、封をする場合に、空間１７が形成されないように外蓋１３を裏紙１０だけでなく、延長部２５にも接着するようにすれば、封筒２６を密封することができる。このように封筒２６を密封した場合に封筒２６を開封する際は、内蓋１２の折り返し部１２ａに沿って外蓋１３（及び延長部２５）を切り離せば、内蓋１２は切り離されないので、開封後も内蓋１２の存在によって内容物を落下させないように保持することができる。
【００５３】
また、図８、９図示の封筒２６には、図４図示の展開図１５、図５図示の封筒２０のように切れ込み１９ａ、１９ｂ、１９ｃ、フラップ部１８ａ、１８ｂ、１８ｃは設けられていないが、切れ込みを設け、フラップ部を形成するようにしてもよい。
【００５４】
［実施の形態４］
この発明のさらに他の実施の形態の封筒２８について図面（図１０）に基づいて説明する。
【００５５】
封筒２８は、実施例１の封筒１の表紙１１に透明フィルムを貼着した窓２９を設け、さらに、紙片３０ａ、３０ｂ、３０ｃ、３０ｄからなる紙枠に透明フィルム３１を貼着して構成したカードホルダー３２を表紙１１の表面に貼着して構した。ここで、カードホルダー３２は、図１０（ａ）図示のように紙片３０ｂ、３０ｃ、３０ｄのみを表紙１１に貼着し、紙片３０ａは貼着しないことによって、当該部分にカード挿入口３４を形成した。また、紙片３０ａは、カードホルダー３２の蓋を兼ねている。
【００５６】
このように構成された封筒２８は、内部の印刷物の所定位置に宛先、宛名を記載して当該宛先、宛名が窓２９から覗くようにし、カードホルダー３２内に例えば送り主の名刺３３を差し入れることができる。なお、名刺３３に代えて、送り主が企画しているキャンペーンの告知等を印刷したカードを差し入れるようにすることもできる。
【００５７】
印刷物を封筒２８内に入れたら、外蓋１３を閉じ、続いて、カードホルダー３２の蓋、すなわち紙片３０ａを閉じれば、図１０（ｂ）のように、郵送できる状態とすることができる。
【００５８】
封筒２８の表面には、何ら印刷をしておく必要がないので、送り主の企業の担当者が異なる場合や、異なるキャンペーンを展開し始めた場合等、どのような場合にも使用することができる。
【００５９】
以上、この発明の好ましい実施の形態を添付図面を参照して説明したが、この発明はかかる実施の形態に限定されるものではなく、特許請求の範囲の記載から把握される技術的範囲において種々な形態に変更可能である。
【００６０】
例えば、内容物確認孔は、表紙及び／又は裏紙の下縁付近（符号２１）、中間付近（符号２２）、上縁付近（符号２３）の複数箇所に設けたものとすることができる。このように内容物確認孔を高さの異なる位置に設けておけば、札が折られた状態で封筒内に残されている場合等であっても内容物の確認が容易にできる。
【００６１】
【発明の効果】
この発明によると、封筒の表紙の上縁部に外蓋が連設されると共に、封筒内部に折り込み自在の内蓋が裏紙の上縁部に連設されているので、内蓋と外蓋とを互い違いに閉鎖することができるので、封筒内の内容物が落下しにくいという効果がある。
【００６２】
また、内蓋はその上端縁に内容物挿入方向に沿った一本又は複数本の切れ込みを有し、複数のフラップ部が形成されているので、内容物の落下防止効果を高めることができる。
【００６３】
更に、切れ込みは内容物挿入方向の内蓋高さに対して３０％〜５０％の長さとしたので、フラップ部に十分な強度を与えることができる。
【００６４】
また、内蓋の折返し部より外蓋の折返し部が内容物挿入方向に沿って上方に位置しているので、開封時に外蓋のみを切り離すことができ、開封後も、内蓋により内容物が落下しないように保持することができる。
【００６５】
更に、送り主が受け取り主に知らせたい情報を記載したカードを必要に応じて差し入れることのできるカードホルダーを備えているので、知らせたい情報が変更になる都度、封筒の印刷を変更する必要がない。
【００６６】
また、この発明によれば、従来の封筒の展開図と比較して内蓋予定部が付加されたのみであるから、従来の生産設備をそのまま使用することができ、コストもほとんど上昇することなく生産することができる。
【図面の簡単な説明】
【図１】この発明の実施の形態の封筒の展開図。
【図２】図１図示の展開図を組み立てた封筒の一部分を示した斜視説明図。
【図３】同じく一部断面図。
【図４】この発明の他の実施の形態の封筒の展開図。
【図５】図４図示の展開図を組み立てた封筒の一部分を示した斜視説明図。
【図６】同じく一部断面図。
【図７】内容物確認孔を３個備えた封筒の正面図。
【図８】この発明の他の実施の形態の封筒の展開図。
【図９】（ａ）図４図示の展開図を組み立てた封筒を閉じる前の状態の一部分を示した斜視説明図。
（ｂ）同じく閉じた状態の一部分を示した斜視説明図。
【図１０】（ａ）この発明の他の実施例の封筒に宛先、宛内を記載した内容物を入れた状態の説明図。
（ｂ）図１０（ａ）の状態から、カードホルダーに名刺を入れ、封筒とカードホルダーを閉じた状態の説明図。
【符号の説明】
１、２０、２６、２８  封筒
２  裏紙予定部
３  表紙予定部
４  内蓋予定部
５  外蓋予定部
８、９、２１、２２、２３  内容物確認孔
１０  裏紙
１１  表紙
１２、１８  内蓋
１３  外蓋
１５、２４  展開図
２５  延長部
３２  カードホルダー
３３  名刺
３４  カード挿入口
【図１】
2004217299.tif 000003
【図２】
2004217299.tif 000004
【図３】
2004217299.tif 000005
【図４】
2004217299.tif 000006
【図５】
2004217299.tif 000007
【図６】
2004217299.tif 000008
【図７】
2004217299.tif 000009
【図８】
2004217299.tif 000010
【図９】
2004217299.tif 000011
【図１０】
2004217299.tif 000012